(57)【要約】【課題】  この発明は、引張り強度を高めることができて、盛土の安定性が向上できる土木用マットを提供することを目的とする。【解決手段】  複数本の糸条２ａ、３ａ同士が隙間なく並列されて構成される一組の糸条群を緯糸２および経糸３として織成された土木用マット１であり、具体的には、並列された複数の上記経糸３に対して各経糸３の表裏交互に上記緯糸２を通し、複数の上記緯糸２を上記表裏が隣同士で逆になるように上記経糸３に通した構成としている。【選択図】    図１
2007051431.tif 000002
【特許請求の範囲】
【請求項１】
複数本の糸条同士が隙間なく並列して構成される一組の糸条群を経糸および緯糸とし、
各経糸同士、緯糸同士は互いに隙間を有するメッシュ状に織成された
土木用マット。
【請求項２】
並列された複数の上記経糸に対して各経糸の表裏交互に上記緯糸を通し、
複数の上記緯糸を上記表裏が隣同士で逆になるように上記経糸に通した
請求項１記載の土木用マット。
【請求項３】
前記経糸、緯糸を構成する糸条の本数を互いに異ならせ、糸条の本数の少ない糸条群が糸条の本数の多い糸条群の表側と裏側とを通る湾曲度合いは、糸条の本数の多い糸条群が糸条の本数の少ない糸条群の表側と裏側とを通る湾曲度合いよりも大きい
請求項２記載の土木用マット。
【発明の詳細な説明】
【技術分野】
【０００１】
この発明は、経糸および緯糸で織成され、特に、高い盛土、あるいは軟弱地盤の埋め立て等に適用される土木用マットに関する。
【背景技術】
【０００２】
従来、複数本の撚り紐を複数本を所定の間隔に並列したものを１単位の経紐とするとともに、これと同様に複数本の撚り紐を所定の間隔に並列したものを１単位の緯紐として、これらを織成することにより、メッシュ状の土壌流出防止用のマットとするものが知られている。
【０００３】
上述したような構成のマットは、例えば、盛土工事において土壌の表面に敷設して固定することにより、土壌の表面からの流出を防止する土壌流出防止用のものとして使用される（特許文献１参照）。
【０００４】
【特許文献１】実公昭６２−２３８６３号公報
【発明の開示】
【発明が解決しようとする課題】
【０００５】
一方、盛土工事としては、盛土すべき位置に土木用のマットを敷設してその上に所定厚さの盛土をしてマットを埋設した後、さらにマットを敷設して盛土を行うといった工程を繰り返すことによって幾層にもマットを埋設する工法がある。
【０００６】
このような、幾層にも盛土を重ねて盛土の高さを高くする場合や、土質が軟弱である場合においては、盛土の下底部にかかる荷重が大きくなるため、かかる用途に埋設して使用されるマットとしては、高い引張り強度が要求されることになる。
【０００７】
しかしながら、前記特許文献１に開示のマットは、上述したように経紐、緯紐のいずれにおいても、複数の撚り紐同士を所定の間隔を置いて並列したものであるため、埋設して使用すると、盛土の荷重がかかった時、その隙間の分だけ撚り紐が動き易くずれが生じ易いと同時に、経紐、緯紐１本当たりの強度が低いという問題点がある。従って、マット全体としての形状が不安定となるため、高い引張り強度が要求される盛土工事においては土壌流出防止の役割を十分に果たせない場合がある。
【０００８】
この発明は、引張り強度を高めることができて、盛土の安定性が向上できる土木用マットを提供することを目的とする。
【課題を解決するための手段】
【０００９】
この発明の土木用マットは、複数本の糸条同士が隙間なく並列して構成される一組の糸条群を経糸および緯糸とし、各経糸同士、緯糸同士は互いに隙間を有するメッシュ状に織成されていることを特徴とする。
【００１０】
この発明の一実施態様においては、並列された複数の上記経糸に対して各経糸の表裏交互に上記緯糸を通し、複数の上記緯糸を上記表裏が隣同士で逆になるように上記経糸に通ることを特徴とする。
【００１１】
この発明の一実施態様においては、複数本の糸条同士が隙間なく並列して構成される一組の糸条群を経糸および緯糸とし、並列された複数の上記経糸に対して各経糸の表裏交互に上記緯糸を通し、複数の上記緯糸を上記表裏が隣同士で逆になるように上記経糸に通したことを特徴とする。
【００１２】
この発明の一実施態様においては、前記経糸、緯糸を構成する糸条の本数を互いに異ならせ、糸条の本数の少ない糸条群が糸条の本数の多い糸条群の表側と裏側とを通る湾曲度合いは、糸条の本数の多い糸条群が糸条の本数の少ない糸条群の表側と裏側とを通る湾曲度合いよりも大きいことを特徴とする。
【発明の効果】
【００１３】
この発明によれば、複数本の糸条同士が隙間なく並列されて構成される糸条群を経糸、緯糸とすることによりマット自体の強力が高くなるとともに、盛土との摩擦抵抗力が向上し、経糸、緯糸の位置を安定させることができるため、結果として盛土の安定性を向上させることができる。
【発明を実施するための最良の形態】
【００１４】
この発明の一実施形態を以下図面と共に説明する。  
図１、図２は、この発明の実施形態に係るマット１を示す斜視図、部分拡大平面図である。土木用マット１（以下、マット１という）は、複数本（ここでは４本）の糸条２ａ同士が隙間なく並列されて構成される一組の糸条群からなる緯糸２と、複数本（ここでは３本）の糸条３ａ同士が隙間なく並列されて構成される一組の糸条群からなる経糸３とから構成されている。
【００１５】
具体的には、並列された複数の前記経糸３に対して各経糸３の表裏交互に前記緯糸２を通され、複数の上記緯糸２を上記表裏が隣同士で逆になるように上記経糸３に通されている。
【００１６】
このようなマット１は、織成工程において、横列に多数並列される経糸３が上下方向に開口され、該開口された経糸３の間に、複数本の糸条２ａを同時に打ち込むことにより生成することができる。
【００１７】
例えば、前記緯糸２は、グリッパーで複数本の糸条２ａを掴んで同時に打ち込まれる。これにより、１本の緯糸２を構成する４本の糸条２ａの張力を均一にすることができる。例えば、上記グリッパーとしては、２〜４本の糸条を掴めるものを用いるとよい。
【００１８】
ここで、緯糸２、経糸３を構成する糸条２ａ同士、糸条３ａ同士では隙間は形成されないものの、緯糸２同士、および経糸３同士においては、それぞれ図示のように所定の間隔が形成されつつ並列している。これにより、全体としてメッシュ状のマット１を構成している。なお、この所定の間隔は、図示のように、緯糸２同士の間隔では緯糸２と略同一幅であり、経糸３同士の間隔では経糸３と略同一幅である。
【００１９】
ところで、前記糸条２ａ、３ａは、少なくともマット１の全幅に渡って連続して延びた単一の構成要素とされ、いずれも、同一材料からなり糸条の太さ（直径）も略同一とされている。ここで、これらを製造する紡糸工程において、１本の長尺材料を延伸加工し、細糸状にしたものを糸条２ａ、３ａとすることにより、単糸の強度が向上することとなる。
【００２０】
即ち、例えば、４本の糸条２ａの断面積の合計と同一断面積を有する１本の緯糸２に比べて、前記延伸加工された糸条２ａを４本並列させたもののほうが高度が高くなる。
【００２１】
また、例えば、図３（ｂ）に示す経糸３の間の、糸条２ａよりも若干大きい幅を有する隙間Ｇを直径とする１本の糸条２ｂからなる単糸の緯糸２とするよりもマット１全体としての強度が増すこととなる。
【００２２】
さらに、図１、図２、図３（ａ）に示すように、緯糸２、経糸３を隙間なく並列した複数本の糸条２ａ、３ａにて構成することにより、緯糸２の間を通る経糸３の幅Ｇを同一として図３（ｂ）の如く１本の糸条２ｂを通した場合や、図３（ｃ）の如く複数本（ここでは２本）の糸条２ｃを隙間を設けて通した場合に比べて各緯糸２と経糸３との間の隙間を小さくすることができる。
【００２３】
上述した構成を有するマット１を用いて盛土を行うときは、図４に示すように、施工現場に搬入して盛土をすべき位置に敷設する。必要に応じて係止具４、４、４によってマット１を定着させておくこともできる。係止具４、４、４としては、クリップ、杭、棒等を使用することができる。
【００２４】
マット１の使用による盛土作業は、図４に示すように、マット１を、その一端部が造成される法面に達するように平坦に敷設してその上に盛土をした後、再度マット１を敷設し、その上に盛土を行ってマット１を埋設する工程を所定回数繰り返して積み重ねることによって必要な高さの盛土を行う。
【００２５】
なお、軟弱地盤の埋め立てにおいては、軟弱地盤上にマット１を敷設し、その上に盛土を行うことによって実施することができる。
【００２６】
ここで、図１、図２にて示すように、隙間なく並列した複数本の糸条２ａ、３ａによりなる緯糸２、経糸３により織成したマット１においては、緯糸２、経糸３の強度が向上したものであるため、マット１全体としての強度を高めることができる。
【００２７】
さらに、複数本の糸条２ａ、３ａにより、緯糸２、縦糸３と盛土との摩擦抵抗力が向上する。従って、幾層にも盛土を重ねる場合や、軟弱地盤の場合の盛土工事においては特に、マット１の高度の向上と相まって、マット１の上層の荷重等による、経糸３、緯糸２のずれを抑制できるため、盛土の積層状態の安定性を向上させることができる。
【００２８】
また、特に、細粒分が多い砂質土を含む軟弱地盤においては、複数の糸条２ａ、３ａが並列した緯糸２と経糸３とにより構成されるマット１を使用することにより、マット１の上層の盛土の一部がマット１を通過して下層の土と混合して起こる盛土層の流動現象を抑制することができる。
【００２９】
また、緯糸２、経糸３同士で所定の隙間が形成されてメッシュ状に織成されていることにより、この隙間から水分を下層の盛土に吸収し易くすることができるため、良好な透水性を備えたマット１とすることができる。
【００３０】
また、複数の糸条２ａ、３ａが並列した緯糸２と経糸３とにより構成されるマット１においては、図２に示す状態からマット１に対して斜め方向からの荷重を加えた際の図５のような状態において顕著な効果を奏する。
【００３１】
即ち、上層の盛土層の荷重の方向は予測不能なものであり、場合によってはマット１の敷設平面の斜め方向からの荷重を受ける可能性が考えられる。
【００３２】
これに対して、複数の糸条２ａ、３ａとすることにより、この複数の糸条２ａ、３ａが緯糸２、経糸３の斜め方向へのずれに対して強い抵抗力を発揮するため、図５に示すように、斜め方向からの荷重が加わったとしても斜め方向におけるずれが生じにくいものとすることができる。従って、いかなる方向からの荷重がマット１に加わったとしても、マット１の形状、構造の安定性を向上させることができる。
【００３３】
また、図１に戻り、並列された複数の上記経糸３に対して各経糸３の表裏交互に上記緯糸２を通し、複数の上記緯糸２を上記表裏が隣同士で逆になるように上記経糸３に通した構造とすることにより、マット１のいかなる部分においても緯糸２と経糸３と位置関係が規則的であるため、マット１の強度の均一性を図ることができる。
【００３４】
さらにまた、前記緯糸２、経糸３を構成する糸条２ａ、３ａの本数が各々４本、３本であって互いに異なっており、糸条の本数の少ない経糸３が糸条の本数の多い緯糸２糸条群の表側と裏側とを通る湾曲度合いは、緯糸２の糸条群が経糸３の糸条群の表側と裏側とを通る湾曲度合いよりも大きくなっている。
【００３５】
これにより、糸条２ａの本数と糸条３ａの本数が同数の場合よりも、糸条の本数が少ない経糸３側は、その凸部の高さが大きくなるため、マット１の平面から大きく突出した経糸３の凸部が盛土と接触することにより、盛土の抵抗になる。但し、糸条３ａの本数を糸条２ａの本数より多くし、緯糸２の突出量を大きくするようにしてもよい。
【００３６】
なお、この発明は、上述の実施形態の構成のみに限定されるものではなく、多くの実施の形態を得ることができる。
【図面の簡単な説明】
【００３７】
【図１】この発明の実施形態に係る土木用マットの一部を示す斜視図。
【図２】図１の土木用マットの一部を示す平面図。
【図３】図１の土木用マットを用いた補強盛土工法を示す縦断面図。
【図４】（ａ）図２におけるＡ−Ａ矢視断面図、（ｂ）緯糸の間を通る経糸の幅を（ａ）と同一にして１本の経糸を通した場合を示す断面図、（ｃ）複数本の糸条を隙間を設けて通した場合の断面図。
【図５】図１の土木用マットに対して斜め方向からの荷重を加えた際の状態を示す平面図。
【符号の説明】
【００３８】
１…土木用マット
２…緯糸
３…経糸
２ａ、３ａ…糸条
【図１】
2007051431.tif 000003
【図２】
2007051431.tif 000004
【図３】
2007051431.tif 000005
【図４】
2007051431.tif 000006
【図５】
2007051431.tif 000007